(57)【要約】【解決手段】随意選択的な裏地シート（１６、７２）と、担体細片（１８、６８、９８）と、剥離可能に付けられている表面層シート（１４、６４、９４）とを含む改善されたラベルシート集合体（１０、５０、６０、９０）、および、これ以外にさらにタブ付きの仕切りページシート（５８、１１０）の積み重ね群と、整列ガイド（１０９）とを含む付着キット。ユーザは、担体細片（１８、６８、９８）を裏地シート（１６、７２）から外して、その担体細片（１８、６８、９８）を仕切りページシート（５８、１１０）を横切って位置付け、整列させ、これにより事前切り込みラベル（３２、６５、１０２）をタブ（５６、１１２）上に接着する。その後、ユーザは、担体細片（１８、６８、９８）を、上方向に引き上げ、仕切りページシート（５８、１１０）から引き離し、これにより、事前切り込みラベル（３２、６５、１０２）のそれぞれの一部分が撓んで、担体細片（１８、６８、９８）から分かれ、仕切りページタブ（５６、１１２）上に残される。【選択図】図７
2009536751.tif 000002
【特許請求の範囲】
【請求項１】
担体細片（１８）と、
覆うように整列する形で、前記担体細片の前面（２７）に接着剤（２４）で剥離可能に貼着されたラベル表面層シート（１４）と、を備えたラベルシート集合体（１０）であって、
前記ラベル表面層シート（１４）は、複数の切り取り線（３０）を有しており、この複数の切り取り線は、予め定められたタブ（５６）配置を有するタブ付きメンバー（５８）の積み重ね群から外側に延びているところの位置ずれしたタブ（５６）のセットにほぼ対応したずれ方で、互いに間隔を隔てている複数のラベル（３２）の境界線を少なくとも規定するものであり、
前記担体細片（１８）は、前記表面層ラベル（３２）の境界線の一部分とほぼ同じ形状を有するがそれぞれのラベル（３２）よりもわずかに小さいサイズをした複数の切り取り縁（３４）によって規定されており、
前記担体細片（１８）は、重複部分（３８）を規定する前記複数のラベル（３２）の各々の少なくとも一部分と重なり、前記重複部分（３８）は、前記担体細片（１８）が分離された位置にある場合に、前記複数のラベル（３２）における各ラベル（３２）の裏面の接着表面（２４）を露出するように設けられている、ラベルシート集合体。
【請求項２】
前記担体細片（１８）が前記ラベルシート集合体（１０）から剥離された後も、当該ラベルシート集合体（１０）の寸法が変わらない、請求項１に記載のラベルシート集合体。
【請求項３】
ラベルシート集合体（１０）であって、
裏地シート（１６）と、
裏面（２９）および前面（２７）を有する担体シート（１８）とを備え、
前記担体シートの裏面（２９）は、前記裏地シート（１６）の前面（１７）に対しこれを覆うように整列する形で剥離可能に貼着されると共に、前記担体シートの前面（２７）に配置された剥離剤コーティング（２８）を有しており、
当該ラベルシート集合体（１０）は更に、前記担体シート（１８）の前面（２７）に対しこれを覆うように整列する形で接着剤（２４）にて剥離可能に貼着されたラベル表面層シート（１４）を備え、
前記ラベル表面層シート（１４）は、当該ラベル表面層シート（１４）を貫通するが前記担体シート（１８）は貫通しない複数の切り取り線（３０）を有しており、この複数の切り取り線（３０）は、予め定められたタブ（５６）配置を有するタブ付きメンバー（５８）の積み重ね群から外側に延びているところの位置ずれしたタブ（５６）のセットにほぼ対応したずれ方で、互いに間隔を隔てている複数のラベル（３２）の境界線を少なくとも規定するものであり、
前記裏地シート（１６）、前記担体シート（１８）および前記ラベル表面層シート（１４）により積層構造のシート集合体（１０）を形成し、
前記担体シート（１８）は、前記担体シート（１８）を貫通するが前記ラベル表面層シート（１４）または裏地シート（１６）は貫通しない複数の切り取り線を有しており、この複数の切り取り線は、前記ラベル（３２）の境界線の一部分とほぼ同じ形状を有するが各ラベル（３２）よりもわずかに小さいサイズを有して、複数の担体細片（１８）を規定するものであり、
各担体細片（１８）は、前記裏地シート（１６）から剥離され、これにより、担体細片（１８）上のラベルの一部分との重複部分（３８）および各ラベルの裏側接着面を露出させることができ、前記担体細片（１８）により、ユーザが、少なくとも１つの表面上の所望の位置に前記ラベル（３２）を位置決めしてそこに前記接着剤（２４）で接着することができるものであり、前記少なくとも１つの表面は、タブ付きメンバー（５８）の積み重ね群の位置ずれしたタブ（５６）を含むものである、ラベルシート集合体。
【請求項４】
前記ラベル表面層シート（１４）は、インクおよび／またはレーザ受容性の表面層シート（１４）を含むものであり、前記担体シート（１８）は紙であり、前記裏地シート（１６）は、剥離コートされた紙の裏地シートである、請求項３に記載のラベルシート集合体。
【請求項５】
前記裏地シート（１６）、前記担体シート（１８）および前記ラベル表面層シート（１４）は、積層構造を形成し、その積層構造は、印刷機または複写機を通過すると共に、前記担体細片（１８）が分離位置に剥離される前に所望の見出しをラベル（３２）上に印刷するように構成されている、請求項３に記載のラベルシート集合体。
【請求項６】
ラベルシート集合体（１０）であって、
裏地シート（１６）と、
前記裏地シート（１６）に剥離可能に付けられた担体シート（１８）とを備え、
前記担体シート（１８）は、少なくとも部分的に担体細片（１８）を規定する少なくとも１つの弱化分離線（３４）を含み、
当該ラベルシート集合体（１０）は更に、前記担体シート（１８）に剥離可能に付けられたラベル表面層シート（１４）を備え、
前記ラベル表面層シート（１４）は、整列した複数のラベル（３２）の境界線を少なくとも部分的に規定する少なくとも１つの弱化分離線（３０）を含み、
前記担体細片（１８）は、前記裏地シート（１６）上の取付け位置にあり、前記裏地シート（１６）から剥離された際には剥離位置に位置決め可能なように構成されており、前記ラベルの底面の一部分は、前記担体細片（１８）が前記剥離位置にあるときに露出され、前記ラベル（３２）の境界線の少なくとも一部分が前記担体細片（１８）に重なって、担体細片の重複部分（３８）を規定すると共に、逆側で前記担体細片（１８）に対して付着され、これにより、前記ラベル（３２）が、位置ずれした複数のタブ（５６）に対し、整列された付着位置にて付着されるものであり、
当該ラベルシート集合体（１０）は更に、前記取付け位置にあるときに前記担体シート（１８）を前記表面層シート（１４）に接着すると共に、前記ラベル（３２）が前記付着位置にあるときに前記ラベル（３２）を前記位置ずれしたタブ（５６）に接着するための接着手段（２４）を備える、ラベルシート集合体。
【請求項７】
前記ラベル表面層シート（１４）は、インクおよび／またはレーザ受容性の表面層シートを含むものであり、前記担体シート（１８）は紙であり、前記裏地シート（１６）は、剥離コートされた紙の裏地シートである、請求項６に記載のラベルシート集合体（１０）。
【請求項８】
前記ラベル表面層シート（６４）は、インクおよび／またはレーザ受容性の表面層シートを含むものであり、前記担体シート（６８）はフィルムで、前記裏地シート（７２）は、熱シール可能なシートである、請求項６に記載のラベルシート集合体（６０）。
【請求項９】
見出しつき仕切りページラベル付着キットであって、
少なくとも１セットの仕切りページシート（５８）を備え、前記仕切りページシート（５８）が互いに重なり合う際に、各シートが、所定の配置で、互いに垂直方向に位置がずれ且つ外側に延びる仕切りページタブ（５６）を有しており、
少なくとも１つの感圧性ラベルシート集合体（１０）を備え、この集合体が、少なくとも１つの担体細片（１８）と、ラベル表面層シート（１４）とを有し、前記少なくとも１つの担体細片（１８）および前記ラベル表面層シート（１４）は、感圧性接着材料層（２４）によって剥離可能に一体保持され、
前記ラベル表面層シート（１４）は、複数の切り取り線（３０）を有しており、この切り取り線（３０）は、仕切りページシート（５８）から外側に延びる仕切りページタブ（５６）の所定の配置にほぼ対応する整列構成で、距離をおいて配列されるところの、事前切り込みを入れた複数のラベル（３２）の境界線を規定するものであり、
前記少なくとも１つの担体細片（１８）が仕切りページシート（５８）セット上の仕切りページタブ（５６）に重なった際に、前記事前切り込みラベル（３２）の各々が、各仕切りページタブ（５６）の上部に位置するように、前記少なくとも１つの担体細片（１８）は、前記表面層ラベル（１４）の境界線の一部分とほぼ同じ形状を有するがそれぞれのラベル（１４）よりもわずかに小さいサイズをした複数の切り取り縁（３４）を有し、
前記事前切り込みラベル（３２）は、前記少なくとも１つの担体細片（１８）に重なる縁の周囲で、前記少なくとも１つの担体細片（１８）に逆側で接着され、
当該見出しつき仕切りページラベル付着キットは更に、
前記少なくとも１つの担体細片（１８）を、前記仕切りページシートセット（５８）上で仕切りページタブ（５６）と整列させるための整列ガイド（１０９）を備えており、
これにより、ユーザは、
（ｉ）前記整列ガイド（１０９）を用いて、前記少なくとも１つの担体細片（１８）を、前記仕切りページシートセット（５８）上の仕切りページタブ（５６）と整列させ、
（ｉｉ）前記少なくとも１つの担体細片（１８）と、前記少なくとも１つの担体細片（１８）に付いている事前切り込みラベル（３２）とを、前記裏地シート（１６）とラベル表面層シート（１４）とから分離し、
（ｉｉｉ）前記少なくとも１つの担体細片（１８）に付いている事前切り込みラベル（３２）が仕切りページシート（５８）の仕切りページタブ（５６）上に位置付けられるように、前記少なくとも１つの担体細片（１８）を、仕切りページシート（５８）を横断して位置付けおよび整列させ、
（ｉｖ）前記少なくとも１つの担体細片（１８）が前記ラベル（３２）から分離される際に、前記少なくとも１つの担体細片（１８）に重なっている前記ラベル（３２）の前記少なくとも１つの縁が、前記少なくとも１つの担体細片（１８）の周囲で撓み、その結果、前記ラベルが仕切りページタブ（５６）上に残るように、前記少なくとも１つの担体細片（１８）を上に持ち上げ、仕切りページシート（５８）から引き離すことができる、
ことを特徴とする、見出しつき仕切りページラベル付着キット。
【請求項１０】
前記整列ガイド（１０９）は、整列細片（１２４）の前面からから延びる複数の整列ピン（１２２）の１つを有し、前記仕切りページシート（５８）は、前記複数の整列ピン（１２２）の少なくともいくつかと整列して当該シート（５８）を貫通する複数の孔（１２６）を有しており、
前記複数の整列ピン（１２２）の少なくともいくつかが前記仕切りページシート（５８）に形成された孔（１２６）内に位置決めされるときに、あるいは、剥離可能なテープ（１１６）が前記仕切りページシート（５８）上に位置決めされるときに、前記仕切りページシート（５８）が整列し、これにより、仕切りページシート（５８）のタブ（５６）を適切な配列で整列させることを特徴とする、請求項９に記載の見出しつき仕切りページラベル付着キット。
【発明の詳細な説明】
【技術分野】
【０００１】
本発明は概してラベルに関し、より詳しくは、改善された見出しつき仕切りページラベルシート集合体、付着方法、およびラベルシート集合体を備えた付着キットに関する。
【０００２】
［関連出願の参照］  
尚、本出願は、米国特許仮出願６０／７９９，２３８号（２００６年５月９日出願）の利益を主張する。
【背景技術】
【０００３】
仕切りページおよびラベルを利用した書類の見出し付けシステムは、種々存在する。通常のシステムでは、書類は、書類の識別をしやすくするために、仕切りページシートにより区分されている。ユーザが書類の位置を決め、かつ整理をしやすくするために、多くの場合、仕切りページには、その上に見出しを付けたタブがある。
【０００４】
このようなシステムにより、書類群への見出し付けを十分支援することができるが、仕切りページタブに識別見出しまたは識別ラベルを付ける作業は、時間がかかり、不恰好になり、間違いを起こしやすい。多くのシステムでは、このような困難を解決するために、タブに付着可能なラベルを用いている。通常、付着時に、各ラベルを互いに分離し、仕切りページの対応する１つのタブ上に、個々に付着させる。個々にラベルを付着させる間、ラベルは、しばしば均等に付着されず、あるいは、仕切りページシートのタブに対して適切に整列しない。このようなタイプの付着可能なラベルを用いることにより、仕切りページタブが識別見出しを有することができるとしても、このようなラベルは、使用上便利ではない。
【０００５】
この問題を解決するために、従来の特許が、見出しつき仕切りページにタブを付着させる際の多くの方法を教示してきた。１つの従来例では、担体細片に付けられた事前切り込みラベルを用い、この担体細片自体は、裏紙に保持されている。事前切り込みラベルは、仕切りページシートのタブ上に実質的に整列するように、担体細片上で距離を保っている。ユーザは、担体細片およびこの上に付けられた事前切り込みラベルを、裏紙から分離し、仕切りページシートを横断して、担体細片を位置付け、整列させる。これにより事前切り込みラベルを複数の仕切りページシートのタブ上に位置付けることができる。その後、担体シートは、上方向に引き上げられ、仕切りページシートから引き離され、その結果、事前切り込みラベルは、担体細片から分離されて、仕切りページタブ上に残る。このシステムは、ある点では従来技術に対して改善が行われているが、通常細片は薄っぺらであり、適切に整列させるのが困難であるとの欠点がある。さらに、担体細片には粘着性があり得、望まない面に付着してしまうことがある。
【０００６】
タブを見出しつき仕切りページに付着する際に直面する問題に対する別の解決方法では、剥離可能な接着剤を用いて裏地シートに接着される表面層を用いている。表面層を貫く型抜き線を作り、ラベルを、１つもしくは複数の仕切りページ、または、ファイルフォルダーセットに対して整列させるように規定する。種々のパターンの型抜き線が、裏地シートを貫くように作られ、細片が、ラベルの直後から剥離されることができ、ラベルの接着剤側が露出する。ラベルは、一時的に、表面層の残りの部分上に、小さく結合して保持される。仕切りページに対して整列させ、接着した後、表面層は上方向に引き上げられ、仕切りページシートから引き離される。この動きにより、上記の小さな結合が破れ、ラベルのみが基材上に残る。このシステムでは、ラベルを仕切りページと整列させている間に、ラベルを保持するための結合の利用に関して、さらなる改善が必要とされる。この結合は、ラベルシートを剥離する間に結合が破られ、ラベルの境界線に荒い縁が残りうるという欠点があり得る。
【０００７】
従来の特許の別の問題は、細片を取り外し、ラベルを基材上に付着させた後、シートがもはや印刷可能ではないという点である。ある例では、細片を取り除いた後、シートのサイズが不規則になってしまう。不規則のシートでは、印刷機または複写機を通過する際に困難が生じうる。別の例では、ラベルを基材に付着させた後、ラベルがあった位置には孔ができてしまう。孔により、シート中に不都合な柔軟性が生じ、脱線ポイントとなり、印刷機または複写機を通過する上での障害になってしまうことがある。さらに、ラベルおよび裏地を取り除くことにより、シートの残りの部分には接着剤が露出し、これにより、シートが、印刷機または複写機の送り機構に接着してしまうことがある。したがって、ラベルを取り外した後での印刷は問題をはらむ可能性があり、全ラベルが、単一の印刷工程中で印刷されねばならない。印刷されないいずれのラベルも、印刷機または複写機を第２回目に通して印刷されることができず、印刷しないままで使用されるか、または捨てられるかという結果になってしまう。
【０００８】
したがって、タブラベルの付着を、迅速に、効率的に、かつ正確に整列させて容易に行うために、新規の改善した見出しつき仕切りページラベル付着構成、付着方法および整列キット、ならびに、これを使う方法を提供することが非常に望まれている。このような新規の改善されたラベルおよび方法により、ユーザは、全ての仕切りページタブラベルを実質的に同時に付着させることができる。これ以外の本発明の望ましい特徴および特性は、以下の詳細な説明および添付の特許請求の範囲から、添付の図面ならびに上述の技術分野および背景を併せて考慮することで、明らかになるであろう。
【発明の開示】
【０００９】
新規のラベルシート集合体および集合体キットを開発した。ある実施形態では、ラベルシート集合体は、ラベル表面層と、担体細片とを有する。ラベル表面層シートは、担体細片の前面上に、覆うように整列する形で、接着剤で剥離可能に貼られる。ラベル表面層シートは複数の切り取り線を有し、これは、ずれるように互いに距離を保っている複数のラベルの境界線を規定し、このずれは、所定のタブ配置を有するタブ付きメンバーの積み重ね群から外側に伸張してかつ位置がずれているタブセットに実質的に対応している。担体細片は、表面層ラベルの境界線の一部分と実質的に同じ形状を有するが複数のラベルの各々よりもわずかに小さいサイズの複数の切り取り縁により規定される。ここで、担体細片は、重複部分を規定する複数のラベルの各々の少なくとも一部分と重複する。重複部分は、担体細片が分離された位置にある場合に、複数のラベル中の各ラベルの裏面の接着表面が露出するように設けられる。
【００１０】
これも例示のみであるが、さらに別の実施形態では、裏地シートと、裏面および前面を有する担体シートとを有するラベルシート集合体が提供されている。担体シートの裏面が、裏地シートの前面を覆うように整列する形で剥離可能に貼られている。ラベル表面層シートは、担体シートの前面上に、覆うように整列する形で、接着剤で剥離可能に貼られている。ラベル表面層シートは、ラベル表面層シートを貫通するが担体シートは貫通しない複数の切り取り線を有し、この複数の切り取り線は、位置がずれるように互いに距離を保っている複数のラベルの少なくとも１つの境界線を規定し、このずれは、所定のタブ配置を有するタブ付きメンバーの積み重ね群から外側に伸張してかつ位置がずれているタブセットに実質的に対応している。裏地シートと、担体シートと、ラベル表面層シートとは、積層構成シートを構成している。担体シートは、担体シートを貫通するがラベル表面層シートまたは裏地シートは貫通しない複数の切り取り線を有し、この複数の切り取り線は、ラベルの境界線の一部分と実質的に同じ形状を有するが各ラベルよりもわずかに小さいサイズを有して、複数の担体細片を規定している。各担担体細片は、裏地シートから剥離され、これにより、担体細片上のラベルの一部分との重複および各ラベルの裏側接着面を露出させることができ、担体細片により、ユーザが、少なくとも１つの面上の所望の位置にラベルを位置づけ、接着剤でラベルをそこに接着することができる。少なくとも１つの面は、タブ付きメンバーの積み重ね群の位置をずらしたタブを含んでいる。
【００１１】
これも例示のみであるが、さらなる別の実施形態では、裏地シートと、裏地シートに剥離可能に付けられた担体シートと、ラベル表面層シートと、ラベル表面層とを有するラベルシート集合体が提供されている。担体シートは、少なくとも部分的には担体細片を規定する少なくとも１つの弱化分離線を含む。このラベル表面層は、担体シートに剥離可能に付けられている。ラベル表面層シートは、整列した複数のラベルの境界線を少なくとも部分的には規定する少なくとも１つの弱化分離線を含む。担体細片は、裏地シート上に付けられた位置にあり、裏地シートから剥離された際に、代替となる剥離位置に位置付け可能なように構成されている。ラベルの裏面の一部分は、担体細片が剥離位置にある際に露出している。ラベルの境界線の少なくとも一部分が、担体細片に重複し、これが担体細片の重複部分を規定し、かつ逆側で担体細片に対して付着され、これにより、ラベルが、位置がずれている複数のタブに対して、整列された付着位置に付着されている。集合体は、さらに、付着位置にある際に、担体シートを表面層に付着し、ラベルが付着位置にある際に、ラベルを位置がずれているタブに接着する接着手段を有する。
【００１２】
これも例示のみであるが、さらなる別の実施形態では、少なくとも１セットの仕切りページシートと、少なくとも１つの担体細片を有する少なくとも１つの感圧性ラベルシート集合体と、少なくとも１つの担体細片を、仕切りページシートセット上の仕切りページタブと整列させるための整列ガイドとを有する見出しつき仕切りページラベル付着キットが提供されている。少なくとも１セットの仕切りページシートは、仕切りページシートが互いに重なり合う際に、各シートが、所定の配置で、互いに垂直方向に位置がずれかつ外側に伸張する仕切りページタブを有する。少なくとも１つの感圧性ラベルシート集合体は、少なくとも１つの担体細片と、ラベル表面層シートとを有し、少なくとも１つの担体細片およびラベル表面層シートは、感圧性接着材料層により、互いに剥離可能に保持されている。ラベル表面層シートは、複数の切り取り線を有し、この切り取り線は、仕切りページシートから外側に伸張する仕切りページタブの所定の配置に実質的に対応する整列構成で、距離をおいて配列された、事前切り込みを入れた複数のラベルの境界線を規定している。少なくとも１つの担体細片は、複数の切り取り縁を有するが、この切り取り縁は、表面層ラベルの境界線の一部分と実質的に同じ形状を有するがラベルよりもわずかに小さいサイズの複数の切り取り縁を有し、少なくとも１つの担体細片が仕切りページシートセット上の仕切りページタブに重なった際に、各事前切り込みを入れたラベルが、各仕切りページタブの上部に位置するようになる。事前切り込みラベルは、少なくとも１つの担体細片に重複する縁の周囲で、少なくとも１つの担体細片に逆側で接着される。ユーザは、（１）整列ガイドを用いて、少なくとも１つの担体細片を、仕切りページシートセット上の仕切りページタブと整列させ、（２）少なくとも１つの担体細片と、少なくとも１つの担体細片に付いている事前切り込みラベルとを、裏地シートとラベル表面層とから分離し、（３）少なくとも１つの担体細片に付いている事前切り込みラベルが仕切りページシートの仕切りページタブ上に位置付けられるように、少なくとも１つの担体細片を仕切りページシートに横断して位置付けおよび整列させ、（４）少なくとも１つの担体細片がラベルから分離される際に、少なくとも１つの担体細片に重複しているラベルの少なくとも１つの縁が、少なくとも１つの担体細片の周囲で撓み、その結果、ラベルが、仕切りページのタブ上に残るように、少なくとも１つの担体細片を上に持ち上げ、仕切りページシートから引き離すことができる。
【００１３】
これ以外の改善された見出しつき仕切りページラベルシート集合体の独立した特徴および利点は、以下の詳細な説明から、本発明の原理を例示的に図示している添付の図面を併せて考慮することで、明らかになるであろう。
【発明を実施するための最良の形態】
【００１４】
以下、本発明を図面との関係で詳細に説明する。尚、図面において、類似する参照符号は、類似する要素を示している。
【００１５】
以下の詳細な説明は、単に例示的な性質のものであり、本発明または本発明の適用および使用を限定する意図はない。さらに、上述の技術分野、背景、発明の開示または以下の詳細な説明中に明示的に又は暗示的に示されるいかなる理論にも拘束されることを意図するものではない。
【００１６】
以下の説明中、ラベル表面層とは、様々な材料から形成されうるシートであって、より具体的には、紙またはフィルムなどの、印刷可能なシート材料から形成可能で、この中で、各ラベルが、見出しつき仕切りページに容易に付着されるように形成される。ラベル表面層は、多層からなりえ、積層シートを有しうる。さらに、ラベル表面層は、表面特性を与えるために様々なコーティングを有することもでき、この表面特性にはインク受容性、トナー受容性、艶、色などが含まれる。多層積層ラベルシート集合体は、少なくとも当初は、２つの要素、すなわちラベル表面層と担体シートとを含む。さらに、裏地シートがこの集合体中に含まれてもよい。接着剤は、ラベル表面層と、担体シートの最上面上に形成される随意選択的なシリコン剥離層との間に位置付けられる。担体シートと、（含まれる場合には）裏地シートとの間には、随意選択的に第２シリコン剥離層も含まれうる。以下で説明する、ラベルシート集合体は、これに追加して、リーダー部分を有してもよいが、このリーダー部分は、ラベル表面層の部分と独自に組み合わされて、レーザージェットプリンターまたはインクジェットプリンターなどの複写機または印刷機を通過することができる多層積層ラベルシート集合体を形成することができる。以下の詳細な説明より明らかなように、本願中の実施形態により、ユーザは、ラベルの全ラインまたは列を、一線に並んで積み重ねられ、且つ位置がずれている見出しつき仕切りページのタブに、従来技術に対して改善した方法で、同時に付着させることができ、他の実施形態では、列の一部分または各ラベルを取り外すことができる。
【００１７】
本願中の各切り取り線は、通常、担体シートまたはラベル表面層シートの１つのみを貫通する。ラベル表面層の切り目部分は、接着剤によりシート集合体上に維持され、印刷機または複写機を通過している間に、シート集合体から分離されることはない。
【００１８】
図１〜図８は、本発明のラベルシート集合体の一実施形態を示し、見出しつき仕切りページラベル用の型抜き構成を示している。より具体的には、図１〜図３は、本発明のラベルシート集合体の断面図および正面図である。図４および図５は、代替となる担体細片の形状を示し、図６〜図８は、ラベルを見出しつき仕切りページに付着させる本発明の方法の工程を示す。ここで、図１および図２に、多層１２を備えたラベルシート集合体１０の一部分を示す。図１は、図３の１−１線断面図であり、図２は、図３の２−２線断面図である。図１および図２に示すように、ラベルシート集合体１０は、ラベル表面層１４、裏地１６およびこれらに挟まれた担体細片１８を有する。ラベル表面層１４は、第１の側２１と、これに対向する第２の側２２とで規定される。この具体的な実施形態では、ラベル表面層１４は、第１の側２１に、インク受容性またはレーザ受容性の印刷可能な面を有する。この担体細片１８とラベル表面層１４との間には、ラベル表面層１４の第２の側２２に位置付けられた接着層２４が形成されている。接着層２４は、剥離可能な形でラベル表面層１４を担体細片１８に接着している。担体細片１８と表面層１４との間の担体細片の上面２７上には、随意選択的に、シリコン剥離層２６が設けられている。さらに、随意選択的なシリコン剥離層２８が、担体細片１８と裏地１６との間に挟まれている。このシリコン剥離層２６、２８は、接着層２４として再剥離可能な接着剤または超再剥離可能な接着材が用いられている実施形態においては、随意選択的なものであると理解されるべきである。本発明のラベルシート集合体の種々の層を形成するために、従来の技術の中で、パターンコーティング技術を用いて、開示した実施形態用の（接着層、シリコン剥離層および熱活性コーティング層に限られないが）複数の層を設けることができると予期される。
【００１９】
ここで図３を参照すると、ラベル表面層１４は、ラベル表面層１４を貫通して伸張している複数の切れ目３０を有し（最もよくわかるのは、図１および図２である）、この複数の切れ目は、１つもしくは複数のラベル３２またはラベル部分の境界線を規定する。この具体的な実施形態では、ラベル表面層シート１４は、切り取り線３０により、５行×４列の２セットのラベルに切り取られる。複数の切り目３０は、ロータリー・ダイカッターを用いて、または、（円筒状ダイ上の刃と硬い円筒状の金敷きとの間に、柔軟体から半剛体までの材料を押し通すことにより、これを切断または軽く切り込みを入れることができる）切断機を用いて形成されるのが好ましい。あるいは、これに代わる方法として、この切れ目は、サインカッターで行うことができるような、薄切りにより形成することも可能である。好適な実施形態では、この切り取り線３０は、連続的な型抜きである。これに代わる実施形態では、切り取り線３０は、ラベル３２を形成する領域では、型抜きでもよく、ラベル３２を形成しない領域では、ミシン目などのような他の弱化された線でもよい。
【００２０】
図１〜図３で示す実施形態では、見出しつき仕切りページセットの位置がずれている複数のタブ上に位置付けるために、複数のラベル３２が含まれている。ラベル３２は、特定の構成のものを示したが、これ以外の多くの任意のラベル構成も、最終使用目的に応じて、この開示から予測することができると理解されるべきである。したがって、種々の数の行および列、または種々の（マトリックス状ではない）パターンのラベルも必要に応じて形成可能である。さらに、図３に示したように、担体細片１８は、複数の縁３４を有し、さらに追加的な弱化された線３５を有し、担体細片１８を２つ以上の小さい細片に分けることができる、この弱化線３５は、ラベル表面層１４と担体細片１８との両方を通るように形成され、分離が可能となる。より小さい細片により、ユーザは、ラベル３２のサブセットを選択または剥離することができる。
【００２１】
再度、図３に戻って、複数の縁３４の一部分は、集合体１０の最も外側の領域３６から伸張し、ある距離分だけ進んで、下に伸張し、横断して伸張し、そして上に伸張するが、これは、隣接するラベル３２の外側形状または境界線の一部分に対して平行で行われるが、しかしここから少し内側に距離をおくように行われ、そして、外側に伸張して、隣接するラベル３２との間に小さい平坦面３７を形成する。これは、隣接するラベル３２との間でラベル表面層１４上にある間隙と同じようなものである。シート集合体１０の製造中において、担体細片１８が、シート集合体１０を横断して完全に伸張するように、あるいはこれに代えて、シート集合体１０を完全には伸張しないように、担体細片１８は形成されうると理解されるべきである。担体細片の縁３４の一部分は、上述のように、ラベル３２の境界線の部分から内側に少しの距離はなれるように間隔をとる。これにより、担体細片１８の一部分が、ラベル表面層１４中に形成されラベル３２を規定する型抜き３０と重複する。この重複部分３８は、好ましくは、ラベル３２の領域の約２０％未満である。しかし、ラベル３２の領域の約２０％を超える重複部を設けることも可能である。この量の重複部分により、ラベル３２が見出しつき仕切りページのタブに付着された後に、担体細片１８を剥離するのが難しくなると理解される（下記に説明）。さらに、この重複部分３８は、例えば、用いる接着剤の種類に応じて異なる。例えば、永続的な付着剤から超再剥離可能付着剤までの付着剤を、接着層２４として用いてもよい。積極的な永続的な接着剤を、接着層２４として用いる実施形態では、剥離可能付着剤を用いる実施形態と比較して、重複部分３８は、比較的小さい。したがって、重複部分３８の特定の量は変りうるが、操作中にラベル３２を保持するために、重複部分３８は十分大きくすべきである。一方、付着後にラベル３２から担体細片１８をきれいに剥離することができるように十分小さくすべきであると理解されるべきである（下記に説明）。
【００２２】
次に図４および図５を参照すると、この図は、担体細片１８の部分の上面図であり、担体細片１８は、裏地１６から剥離された状態で示され、ここで重複部分の別の形状が示されている。より具体的には、図４では、担体細片の縁３４が、ラベル３２を実質的に等分に分け、概して第１の角３９から第２の対向する角４１へと伸張している。図５では、担体細片の縁３４が、波形状または隆起形状を有するよう形成されている実施形態を示している。ここで示される代替実施形態ではどちらも、担体細片の縁３４は、図３に示した場合と異なり、ラベル３２の全体的な形状に追従してはいないが、担体細片１８と表面層１４（より具体的にはラベル３２）との間で、十分な重複部分が可能となり、これにより、（ｉ）操作中はラベル３２を保持し、(ｉｉ)付着後には担体細片１８をきれいに剥離し、（ｉｉｉ）ラベル３２が仕切りページ表面などに容易に接着し、（ｉｖ）効率的な製造可能性を提供することができる。
【００２３】
再び図３を参照するが、担体細片１８とラベル表面層１４とは共に、さらなる切り取り線を有することが好ましい。図３からわかるように、ラベル表面層１４の一部分が切り取られ、剥ぎ取られ、シート集合体１０の縁余白４０を形成する。さらに、この領域に形成された担体細片１８のいずれの部分も、剥ぎ取られている。これらの余白４０は、ラベルシート集合体１０の印刷機および複写機に対する特性を最適化するために設けられている。さらに、随意選択的な溝細片４２が切り取られ、中心から除去され、ラベル表面層１４の中心から下に、ミシン目線４４が形成される。これにより、ユーザがこの構成を２つに分割することができる。ミシン目４４の代わりに、これ以外の形式の弱化線を用いて、シート集合体１０を分離することも可能であると理解されるべきである。これにより、印刷機を通過させるように、より小さい２つのラベル付着構成シート集合体が形成され、あるいは、ユーザの所望のようにこれを行うことも可能である。
【００２４】
印刷機または複写機を通過し、所望の見出し５０がラベル３２上に印刷されると、ラベル３２は、見出しつき仕切りページ、またはフォルダーなどのタブに接着できるようになる。ここで、図６〜８を参照すると、これらの図は、図１〜３によるラベルシート集合体１０の上部の透視図であり、初めに印刷された一連のラベル３２を付着するための複数の工程が示されている。図６で示すように、まず、シート集合体１０のラベル表面層１４の一部分５２を含む担体細片１８を、引き離し、シート集合体１０の残りの部分５４から分離する。シート集合体１０の縁に対して相対的に特定の方向から引き離しているところを示しているが、担体細片１８は、シート集合体１０の縁に隣接するいずれの方向からでも、あるいは、両方の方向からでも引き離されるように形成され得ると理解すべきである。この工程中、ユーザが担体細片１８を完全裏地シート１６から外して、ラベル３２の接着面２４を露出させているときには、ラベル３２は完全裏地シート１６から剥離されている。この時点で、各ラベル３２の一部分は、担体細片１８と重複し、ラベル表面層１４と担体細片１８との間の接着結合により、担体細片１８上に接着され保持されている。このラベル３２と担体細片１８との重複（重なり）により、この段階で、ラベル３２を結合するための他の手段は不要である。担体細片の縁３４が、ラベル３２の水平方向および垂直方向での切り目３０に沿い、したがって、ラベル３２の３つの側の少なくとも一部分を支持していることに注目すべきである。その結果、担体細片１８は、露出したラベル３２の列を、図７および図８に示す複数の見出しつき仕切りページ５８の位置がずれている複数のタブ５６の所望の位置上で操作しかつ正確に位置づけるための、強度な且つ薄っぺらではない手段を提供する。
【００２５】
接着剤側を露出させた状態でラベル３２を有する担体細片１８を持って、ユーザは、ラベル３２と、見出しつき仕切りページ５８のタブ５６とを整列させる。適切に位置付けられた各ラベル３２は、図７で示すように、各タブ５６上に強い付着接合を形成するために、平らに押し付けられる。その後、担体細片１８（これに対して、ラベル３２はより弱く接着付着されている）が、接着されたラベル３２から引き離され、図８に示すように、タブ５６にはラベル３２のみが残る。担体細片１８上にラベルが接着付着された状態で、担体細片１８が裏地１６から剥離されたので、裏地１６は、元の寸法のままであり、何度も印刷機を通過可能であると言える。新しいタブ用にラベル３２をさらに準備するために、この更なるラベルがまだ印刷されてない場合、ユーザは、複数回通過可能なラベルシート集合体１０を印刷機中に通すだけで、続くラベル列上に印刷を行い、整列した印刷タブラベルを作る。ユーザは一度の印刷工程中に、必要な分だけのラベルを印刷できると理解されるべきである。図６に戻って、印刷後は、次の担体細片５３を、裏地シート１６から剥離し、第２列目の印刷されたラベル３２の裏面を露出させる。続いて、印刷されたラベル３２の第２列目を、（不図示の）第２番目の位置をずらした見出しセット上に位置付けるよう操作し、ラベル３２を適切な位置で押し付け、担体細片を剥離する。この点は、再度、図６〜８を参照すると理解できる。
【００２６】
図８に最もよく示されているように、ラベル３２をタブ５６に接着している間の、短い期間の間、担体細片１８の一部分は、仕切り用紙のタブ５６とラベル３２との間に位置付けられる。ユーザは、ラベル３２を仕切り用紙のタブ５６に対して押し付けた後、ラベル３２の主要部分を仕切り用紙のタブ５６に接着し、小さな重複部分３８は担体細片１８に付いている。その後、担体細片１８は、ラベル３２の傍を通り過ぎて引き離され、その結果、ラベルの縁３３は、担体細片１８が剥離されるように少し曲がるまたは撓む。ラベル３２の材料は十分な張力と記憶とを有し、したがって、担体細片１８の剥離中に持ち上げられる縁３３は、仕切りページのタブ５６上に戻る。その後、ユーザは、ラベルを確実に接着させるために、縁を滑らかにすることもできる。
【００２７】
次に、図９を参照して、これらの図は、全般的に図１〜３中に記したシート集合体１０と同様の方法で形成されたシート集合体５０の一実施形態を示す。この特定の実施形態では、１つのラベル５２が、担体細片５４上に形成され、単一のラベル５２を剥離および位置付け可能にしている。各ラベル５２は印刷され、各位置において、裏地からはがされ得る。ラベル５２のサイズおよび位置は、ラベル５２の特定の応用（用途）に応じて異なり得ると理解されるべきである。
【００２８】
次に、図１０〜１２を参照して、複数のラベル６５を含むラベルシート集合体６０の別の実施形態を示す。図１０は、図１１の１０−１０線断面図である。図１〜３の実施形態と同様、ラベルシート集合体６０は、接着剤６７で担体細片６８に接着されるラベル表面層６４を含む複数層６２から形成され、接着剤６７が容易に剥離可能な接着剤から形成されない場合、例えば図１で示されるように、担体シートは随意選択的にシリコン剥離層（不図示）を含んでもよい。担体シート６８は、紙またはフィルムであるシート７２に、加熱活性化コーティング７０で接着される。加熱活性化コーティング７０は、均一な混合物中のポリオレフィン、または単一成分組成物などの材料で形成されうる。さらに、加熱活性化コーティング７０は、コポリエステル、エチレン酢酸ビニル、エチレンビニルアルコール、塩化ポリビニル、アイオノマー樹脂、エチレンアクリル酸メチル、エチレンアクリル酸エチルまたはエチレンアクリル酸などから形成されうる。加熱活性化コーティング７０と、シート７２とが、裏地シート７３を形成する。あるいは、加熱活性化コーティングは、剥離可能接着剤、超剥離可能接着剤またはパターンコーティング接着剤により置き換えることができ、したがって、シリコン剥離層を必要としない。第１実施形態と同様に、ラベル表面層６４は、印刷可能な表面７６を含むと理解されるべきである。印刷可能な表面７６は、見出しの受容性を高めるために、表面処理または表面コーティングを含んでもよい。
【００２９】
より具体的には、図１０および図１１を参照すると、ラベル表面層６４は、複数の切り取り線７４を有するが、この切り取り線７４は、ラベル表面層６４を貫通し、かつ１つもしくは複数のラベル６５またはラベルの一部分の境界線を規定する。この具体的な実施形態では、第１実施形態と同様に、必要に応じて、ラベルまたは担体細片の、種々の数の行および列または（マトリックス状ではない）種々のパターンが形成されうる。さらに、担体シート６８は、担体シート６８を通って伸び、かつ少なくとも１つの担体細片７１の複数の切り取り縁７７を規定する複数の切り取り線７８を有する（図１１）。より特定的には、図１１に示すように、ラベル６５を規定する切り取り線７４は、その最上縁６６が、担体シートの切り取り線７８と全く平行でかつ一致しており、担体細片の上部縁７５を規定する。担体シート６８中の切り取り線７８（図１０）は、さらに担体シート７１の複数の切り取り縁７７を規定し、結果としてできる担体細片７１の小さい一部分は、各ラベル６５の一部分を覆い、かつラベル間の一部分を覆う。この差は、ラベル６５の境界線を囲む重複部分を生じさせ、第１実施形態における重複部分と同様に機能する、すなわち、ユーザが、裏地シート７３から担体細片７１を分離する際に、ラベル６５の列を持ち上げるように機能する。
【００３０】
次に、図１２を参照して、切り取り線７４が担体細片の中央領域中でラベル６５を規定している代替実施形態を示す。図１１に示す実施形態と同様、担体細片６８中の切り取り線７８は、さらに、担体細片７１中で複数の切り取り縁７７を規定しているが、ここで、結果として生じる担体細片７１の小さい部分は、各ラベル６５の小さい部分と、ラベル間の部分とを覆う。この差は、ラベル６５の境界線を囲む重複部分を生じさせ、第１実施形態における重複部分と同様に機能する、すなわち、ユーザが、裏地シート７３から担体細片７１を分離する際に、ラベル６５の列を持ち上げるように機能する。図１１および図１２に示された実施形態では、シート集合体６０は、加熱活性化コーティング７０およびシート７２を含む裏地シート７３と、担体細片６８と、ラベル表面層６４とを含み、印刷機または複写機を複数回通過し、裏地シートは切断されず、同じサイズであり続けるような積層構成を形成する。担体細片７１が分離される位置で剥離される前に、所望の見出しをラベル６５上に印刷する。
【００３１】
図１１および図１２に示されたラベル６５が、見出しつき仕切りページ、またはフォルダーなどの上の複数のタブに付着される間に、担体細片７１は、第１実施形態に記載したのと同様の方法で、裏地シート７３から取り外される。接着剤層６７を覆う担体細片７１の一部分８０であって、複数のラベル６５が規定されている部分が、加熱活性化コーティング７０に付けられているので残っている。これにより、担体細片７１中のウィンドウ領域（不図示）が規定され、ラベル６５上の接着剤が露出され、整列したタブ上に付着可能となる。その後、ユーザは、図６〜８に関連して記載したのと同様に操作し、担体細片７１を用いて、ラベル６５の列を仕切りページまたはファイルフォルダーなどのタブに合わせる。適切に合わせた後に、ユーザは、ラベル６５列を付着し、担体細片７１を剥離し、ラベル６５をタブ上に残す。新しいタブ用にラベル６５をさらに準備するために、ユーザは、この複数回通過可能なラベルシート集合体６０を印刷機中に通すだけで、続くラベル列上に印刷を行い、整列した印刷タブラベルを作ることができる。一度の印刷工程中に、必要なだけのラベルを印刷できると理解される。
【００３２】
次に、図１３〜図１５を参照すると、これらの図は、それぞれ、図１４の１３−１３線断面図、ラベルシート集合体の正面図、および、担体シートの一部分の正面図である。ラベルシート集合体９０は、複数層９２から形成され、接着剤９６で担体シート９８に接着されるラベル表面層９４を含む。上述の実施形態において記載したように、担体細片シート９８は、随意選択的にシリコン剥離層９９を含むと理解されるべきである。担体細片９８は切り取られると、上述の実施形態中の担体細片および裏地の双方と同様の機能を果たす。第１実施形態および第２実施形態と同様、ラベル表面層９４は、プリント可能な表面９５を含む。
【００３３】
ラベル表面層９４は、複数の切り目１００を有するが、この切り目１００は、ラベル表面層９４を貫通し、かつ１つもしくは複数のラベル１０２またはラベルの一部分の境界線を規定する。この具体的な実施形態では、第１実施形態と同様に、必要に応じて、種々の数の行および列、または、（マトリックス状ではない）種々のパターンが形成され得る。担体シート９８は、この担体シート９８を貫通する切り目１０４を含む。上述の実施形態のように、切り目１０４は、ラベル１０２の一部分の周囲で、切り目１００よりわずかに内側に位置付けられ、担体細片９８は、境界線の少なくとも一部分の周囲でラベル１０２と重複し、これにより重複部を形成する。
【００３４】
ラベル１０２を、複数の見出しつき仕切りページ、またはフォルダーなどの上の複数のタブ上に付着する際、複数の部分１０５は、シート集合体９０から剥離され、ラベル１０２の裏側の接着剤が露出する。部分１０５は個々に剥離され、あるいは、図１５に最もよく示されるように、細片状態で剥離される。部分１０５は切り取られ、担体細片９８の部分１０６が残ることができ、剥離時に複数の部分１０５と共に結びつき、ラベル１０２の裏側の接着剤が露出する。次に、ユーザは、ラベルシート集合体９０を操作し、ラベル１０２の列を、見出しつき仕切りページ、またはフォルダーなどの上の複数のタブと整列させる。適切に合わせた後に、ユーザは、ラベル１０２を加圧し、ラベルシート集合体９０を剥離し、ラベル１０２をタブ上に残す。この特定の実施形態では、シート集合体９０は、担体細片９８と、ラベル表面層シート９４とを有し、印刷機または複写機を通過できるよう作られた多層構成を形成することができる。担体シート９８が、剥離可能な部分１０５に切り取られるので、シート集合体９０は、露出した接着剤により十分構造的に弱化され、印刷機または複写機を一度しか通過できない。これに代わる実施形態は、上述の実施形態と同様、溝を含み、各シート集合体の別の各半分が、印刷機または複写機を一度だけ通過することができる。部分１０５が別の場所に剥離される前に、所望の見出しがラベル１０２上に印刷される。
【００３５】
次に、図１６〜図１９を参照すると、この場合には、ラベル付着工程における、見出しつき仕切りページセットまたはファイルフォルダーセットなどの移動またはシフトを最小限にするために、見出しつき仕切りページセットを一時的に整列させる方法が提示されている。図１６〜図１８に示すように、複数のタブ１１２を有する見出しつき仕切りページセット１１０が備えられ、これらのタブは、本発明の識別用見出しを含むラベルを置くために概して中央にある部分１１４を有する。ラベルをタブ１１２上に適切に配するために、図１６に示すように、ラベルが接着されるであろう部分１１４の外側にあるタブ１１２の下方部分１１８を横切る形で、１つの長さまたは複数の長さの剥離可能なテープ１１６を設けることにより、仕切りページ１１０を適所に保持することができる。あるいは、図１７中に最もよく示されているように、見出しつき仕切りページセット１１０の１つもしくは複数の縁１１５を横切って、１つの長さまたは複数の長さのテープ１１６を位置付けてもよい。または図１８に最もよく示されているように、仕切りページ１１０の１つの結合縁１１７を横切って、１つの長さまたは複数の長さのテープ１１６を位置付けてもよい。テープ１１６は、完全な細片の形状であってもよいが、あるいは、間隔をおいた複数の部分であってもよく、図示したように、仕切りページセット１１０の全長あるいは全幅を覆っている。ラベルをタブ１１２上に付着させた後に、図１８で図示したような随意選択的なプルタブ１１９を用いて、テープ１１６を剥離する。あるいは、単純にテープ１１６を持ち上げて仕切りページ１１０から剥離することにより、テープ１１６を剥離する。あるいは、仕切りページ１１０の縁に不都合な残留部を残さないような糊または接着剤を、テープ１１６の代わりに用いる。
【００３６】
ラベルの付着時に仕切りページを整列し安定させる本発明の別の方法では、図１９に示した整列ガイドを用いる。より具体的には、整列細片１２４上に位置決めされた支柱１２２を少なくとも１つ有する配列ガイド１２０が設けられ、これが、仕切りページセット１２８が置かれうる通常のバインダー中のリングに整列されるように設けられる。ある実施形態では、ラベルが接着されるべきであり且つ位置がずれているタブ１３０を複数個有する複数の仕切りページ１２８中に、少なくとも２つの一連の孔１２６が形成される。この少なくとも１つの支柱１２２は、仕切りページ１２８上の穴１２６の大きさよりも小さく、したがって、この少なくとも１つの支柱１２２は、孔１２６に適合することができる。ラベル付着用に仕切りページ１２８を位置付けるために、ユーザは、仕切りページ１２８を整列ガイド１２０上に置き、より具体的には、上記の少なくとも１つの支柱１２２を、仕切りページの孔１２６に通し、仕切りページの全ての孔１２６が、少なくとも１つの支柱１２２に適合するようにする。これにより、各仕切りページ１２８のタブ１３０が、隣接する仕切りページ１２８のタブ１３０と整列し、仕切りページセット１２８は、ラベル付着工程中にずれることがない。上記の少なくとも１つの支柱１２２は、熱成形、射出成型、押し出し成型またはこれ以外の当該業界に公知の方法を用いて製造可能である。さらに、随意選択的に蓋１３６を整列細片１２４と共に設けて、参照符号１３４で示すように、仕切りページセット１２８の少なくとも１つの端１３２を折り曲げてもよい。支柱、蓋または支柱と蓋との組み合わせを用いて、整列手段として用いることができると理解されるべきである。見出しつき仕切りページセット１２８を整列させる本発明のこれに代わる手段は、例えば、米国特許６，８０３，０８４号（本願と同じ譲受人に譲渡され、参照により本願中に取り込まれている）で教示された小袋（ポーチ）などで予期されている。
【００３７】
上記のラベルシート集合体の方法、付着方法および整列ガイドの使用により、見出しつき仕切りページセットまたはフォルダーセットなどの上の位置をずらしたタブ用に、ラベルをつけるための任意の数のシート構成を形成することができる。さらに、この技術は、デスクトップでの印刷可能なシートまたはいずれのシートにも限定されず、同様に独自の特徴を有する折りたたみファンまたは圧延品を製造するのにも用いられうる。さらに、本発明は、タブラベルに見出しを付けるのに限定されず、とりわけ、住所ラベルまたは図示した四角形の形状以外の形状のラベルをも含む。さらに、種々のシート集合体中の切り取り線は、全てシート集合体の縁に対して直交する線として示したが、切り目は、シート集合体の縁に対して直交しないように形成することも可能であると理解されるべきである。
【００３８】
上記の詳細な説明において、少なくとも１つの例示的な実施形態を示したが、多くの変形例があると理解されるべきである。また、１つまたは複数の例示的な実施形態は、例示であって、本発明の範囲、応用性および構成をいずれのようにも限定する意図はないとも理解されるべきである。むしろ上述の詳細な説明は、１つまたは複数の例示的な実施形態を実施する上での便利なロードマップ（指針）を当業者に提供するためのものである。構成要素の機能や配置において、添付の請求項に述べられているような本発明およびその法的な均等物から離れることなく、種々の変更をなし得ることは理解されるべきである。
【図面の簡単な説明】
【００３９】
【図１】本発明の実施形態によるラベルシート集合体の拡大断面図であり、図３の１−１線断面図である。
【図２】本発明の実施形態によるラベルシート集合体の拡大断面図であり、図３の２−２線断面図である。
【図３】図１および図２で示したラベルシート集合体の正面図である。
【図４】本発明の別の実施形態による、担体細片の一部分の拡大図である。
【図５】本発明の別の実施形態による、担体細片の一部分の拡大図である。
【図６】ユーザによる、図１のラベル集合体の付着の第１工程を示した透視図である。
【図７】第２工程を示した透視図である。
【図８】第３工程を示した透視図である。
【図９】本発明の別の実施形態による、ラベルシート集合体の正面図である。
【図１０】本発明の別の実施形態によるラベルシート集合体の拡大断面図であり、図１１の１０−１０線断面図である。
【図１１】図１０のラベルシート集合体の正面図である。
【図１２】本発明の別の実施形態による代替ラベルシート集合体の拡大断面図である。
【図１３】本発明の別の実施形態によるラベルシート集合体の拡大断面図であり、図１４の１３−１３線断面図である。
【図１４】本発明の別の実施形態による代替ラベルシート集合体の拡大正面図である。
【図１５】図１３および図１４の実施形態から剥離した担体細片の一部分の拡大正面図である。
【図１６】本発明のラベルシート集合体と共に使用するための整列ガイドの一実施形態の単純化した正面図である。
【図１７】本発明のラベルシート集合体と共に使用するための整列ガイドの別の実施形態の単純化した正面図である。
【図１８】本発明のラベルシート集合体と共に使用するための整列ガイドの別の実施形態の単純化した正面図である。
【図１９】本発明のラベルシート集合体と共に使用するための整列ガイドの別の実施形態の単純化した透視図である。
【図１】
2009536751.tif 000003
【図２】
2009536751.tif 000004
【図３】
2009536751.tif 000005
【図４】
2009536751.tif 000006
【図５】
2009536751.tif 000007
【図６】
2009536751.tif 000008
【図７】
2009536751.tif 000009
【図８】
2009536751.tif 000010
【図９】
2009536751.tif 000011
【図１０】
2009536751.tif 000012
【図１１】
2009536751.tif 000013
【図１２】
2009536751.tif 000014
【図１３】
2009536751.tif 000015
【図１４】
2009536751.tif 000016
【図１５】
2009536751.tif 000017
【図１６】
2009536751.tif 000018
【図１７】
2009536751.tif 000019
【図１８】
2009536751.tif 000020
【図１９】
2009536751.tif 000021
【国際調査報告】
2009536751.tif 000022
2009536751.tif 000023